(57)【要約】【課題】天井直付け形または吊り下げ形照明装置をダウンライトとしても使用可能とする。【解決手段】器具本体１が天井２００に取り付けられ、蛍光ランプ点灯回路４およびＬＥＤ点灯回路５がそれぞれ壁スイッチを介して交流電源に接続される。壁スイッチが操作され、蛍光ランプ点灯回路４が交流電源に接続されると蛍光ランプ１１が点灯し反射板１０で反射されて室内を照明する。壁スイッチが操作され、ＬＥＤ点灯回路５が交流電源に接続されるとＬＥＤ発光体８，９が点灯し透過性カバー６，７を通過して天井２００の表面を照射し、そこで乱反射される。壁スイッチを操作して蛍光ランプ１１のみを点灯させると直接照明となり、ＬＥＤ発光体８，９のみを点灯させると間接照明となる。【選択図】図２
2010192228.tif 000002
【特許請求の範囲】
【請求項１】
天井に直付けされるか天井から吊り下げられる照明装置であって、
主光源と、
前記主光源を保持し、長手方向に沿う側部が外側に傾いて形成された本体と、
前記本体の内側に設けられ、前記主光源が出射する光を下方に反射する反射面を有する反射板と、
前記本体の側部に装着された補助光源と、を備え、
前記補助光源は、水平方向または水平方向よりも天井側に向けられていることを特徴とする照明装置。
【請求項２】
前記主光源は直線形状をなし、前記本体に前記長手方向に沿うように保持され、
前記補助光源は前記長手方向に沿うように装着されていることを特徴とする請求項１に記載の照明装置。
【請求項３】
前記主光源を駆動する第１の点灯回路と、
前記補助光源を駆動する第２の点灯回路と、
前記第１の点灯回路へ駆動電流を供給する状態としない状態とを切替える第１のスイッチと、
前記第２の点灯回路へ駆動電流を供給する状態としない状態とを切替える第２のスイッチと、をさらに備えることを特徴とする請求項１または２に記載の照明装置。
【請求項４】
前記補助光源は、直線状に配列された複数のＬＥＤ発光素子を備えていることを特徴とする請求項１乃至３のいずれか１項に記載の照明装置。
【請求項５】
前記本体の側部を覆うように装着され、該側部との間に前記補助光源を収容する空間を形成する透過性カバーをさらに備えることを特徴とする請求項１乃至４のいずれか１項に記載の照明装置。
【請求項６】
前記透過性カバーには、面カット加工が施されていることを特徴とする請求項５に記載の照明装置。
【発明の詳細な説明】
【技術分野】
【０００１】
本発明は、天井に直付けされるかまたは天井から吊り下げられる照明装置に関する。
【背景技術】
【０００２】
例えば、オフィス等の会議室においては、主光源として直管形蛍光ランプを備えた照明装置と、補助光源としてのダウンライトとを組み合わせた照明設備が用いられている。この照明装置の主光源を消灯してダウンライトのみを点灯することにより、高照度の照射がなくなり、プロジェクタでスクリーンに投影された映像を見やすくすることができる。
【０００３】
また、特許文献１には、ＬＥＤ（Light Emitting Diode）を光源したＬＥＤフットライトに関する技術が開示されている。このＬＥＤフットライトは、ハウジングとレンズとで形成された気密空間内に、リフレクタ、ＬＥＤ、および回路部品実装基板を内蔵している。リフレクタは、レンズと対向する面に隆起部が形成されて表面が高反射率面となっており、配光特性制御部、ローレット部、および化粧パネル部の３つの部分から構成されている。
【０００４】
配光特性制御部は、第１反射面、第２反射面、第３反射面の３つの異なる曲面を有する反射面から構成され、ＬＥＤから出射された散乱光を水平面より下方向乃至略水平方向の範囲で反射する。また、ローレット部は、ＬＥＤの散乱光を歩行者の目線に向けて反射し、歩行者に進路を視覚的に認識させる誘導灯の役割を果たす。
【０００５】
また、特許文献２には、主に白色光を照射する主光源と、この主光源に対して平行に配された発光ダイオード素子からなる複数の単波長光光源とを備えた照明装置が開示されている。この照明装置は、所定の覚醒水準が得られる単波長光を、主光源から照射される白色光の照明環境に付加することにより、高照度の光照射をすることなく、十分な覚醒効果を得ることができる。
【０００６】
また、特許文献３には、発光色の異なる少なくとも２灯の蛍光灯を段違いに設け、これらの蛍光灯を覆うシェードを有する浴室用演出照明器に関する技術が開示されている。この浴室用演出照明器は、蛍光灯の光がシェードと天井との隙間から天井に照射され、天井で反射した光が間接光として浴室内を照らす。また、蛍光灯の光がシェードの下部に設けられた窓を通過し、直接光として浴室内を照らす。
【先行技術文献】
【特許文献】
【０００７】
【特許文献１】特開２００６−３３１９８８号公報
【特許文献２】特開２００７−３２９１００号公報
【特許文献３】特許第２８９７３１７号公報
【発明の概要】
【発明が解決しようとする課題】
【０００８】
しかしながら、天井に取り付けられる照明器具とフットライトからなる照明器具の場合、２種類の照明器具を異なる場所にそれぞれ取り付ける必要があり、取り付け作業が繁雑になるとともに、取り付けコストが高くなるという問題があった。
【０００９】
また、特許文献１の発明は、ＬＥＤを光源として用いたフットライトに関するものであり、天井に取り付けられて施設内に光を照射する通常の照明として用いることはできないという問題があった。
【００１０】
また、特許文献２の発明は、主光源および単波長光源が照射される作業者の覚醒水準を向上させるというものであり、直接照明としての機能のみを有し、間接照明としての機能は有していないという問題があった。
【００１１】
また、特許文献３の発明を会議室等の照明に応用した場合には、十分な照度の直接照明が得られないという問題があった。また、シェードが不透過のため、シェードに面カット加工等の加工を施して天井面への光照射に変化を与えるということはできない。
【００１２】
本発明は、上記問題点に鑑みてなされたものであり、天井に取り付け可能でかつ直接照明としての機能のみならず、間接照明としての機能も有する照明装置を提供することを目的とする。
【課題を解決するための手段】
【００１３】
上記目的を達成するため、本発明に係る照明装置は、天井に直付けされるか天井から吊り下げられる照明装置であって、主光源と、前記主光源を保持し、長手方向に沿う側部が外側に傾いて形成された本体と、前記本体の内側に設けられ、前記主光源が出射する光を下方に反射する反射面を有する反射板と、前記本体の側部に装着された補助光源と、を備え、前記補助光源は、水平方向または水平方向よりも天井側に向けられていることを特徴とする。
【発明の効果】
【００１４】
本発明によれば、直接照明の機能と間接照明の機能を有する照明装置を提供することができる。
【図面の簡単な説明】
【００１５】
【図１】本発明の実施の形態に係る照明装置の構造を示す分解斜視図である。
【図２】図１中の矢視ＩＩ−ＩＩで示した照明装置の断面図である。
【図３】図１の照明装置の電気的な構成例を示すブロック図である。
【図４】蛍光灯のみを点灯させたときの光の経路を示す図である。
【図５】ＬＥＤ発光体のみを点灯させたときの光の経路を示す図である。
【発明を実施するための形態】
【００１６】
以下、本発明の実施の形態に係る照明装置について説明する。
【００１７】
図１に示すように、照明装置１００は、１対の蛍光ランプソケット２，３を備えた器具本体１と、蛍光ランプ点灯回路４と、ＬＥＤ点灯回路５と、透過性カバー６、７と、ＬＥＤ発光体８，９と、反射板１０と、蛍光ランプ１１とを備えている。
【００１８】
器具本体１は、図示しない取付具を介して天井２００（図２）に取り付けられ、照明装置１００を構成する各部材を支持する。器具本体１の長手方向における一方の端部近傍には蛍光ランプソケット２が、他方の端部近傍には蛍光ランプソケット３が取り付けられている。この蛍光ランプソケット３は、蛍光ランプ１１を保持するとともに、蛍光ランプ１１に電力を供給する。また、器具本体１の長手方向に沿った側部１ａ，１ｂは、器具本体１の外側に向けて傾斜している。蛍光ランプ点灯回路４は、器具本体１に装着され、後述する蛍光ランプ１１を駆動して点灯させる。ＬＥＤ点灯回路５は、器具本体１に装着され、後述するＬＥＤ発光体８，９を駆動して点灯させる。ＬＥＤ発光体８，９は、器具本体１の両側部１ａ，１ｂに蛍光ランプ１１とほぼ平行にそれぞれ取り付けられる。透過性カバー６は断面が略Ｌ字状に形成されており、器具本体１の側部１ａを覆うように取り付けられて、側部１ａとの間にＬＥＤ発光体８を収容する空間を形成する。同様に、透過性カバー７は断面が略Ｌ字状に形成されており、器具本体１の側部１ｂを覆うように取り付けられて、側部１ｂとの間にＬＥＤ発光体９を収容する空間を形成する。反射板１０は、器具本体１の下面に装着され、蛍光ランプ点灯回路４およびＬＥＤ点灯回路５を覆うとともに、蛍光ランプ１１から出射される散乱光を反射して、反射した光を図中下方向に導く。直管状の蛍光ランプ１１は、蛍光ランプソケット２，３に取り付けられて保持されるとともに、蛍光ランプソケット２，３から電力を受ける。
【００１９】
ＬＥＤ発光体８は、例えば、一列に配置された複数のＬＥＤ発光素子８１（図４）を備え、蛍光ランプ１１と平行になるように器具本体１の側部１ａに取り付けられている。同様に、ＬＥＤ発光体９は、例えば、一列に配置された複数のＬＥＤ発光素子９１を備え、蛍光ランプ１１と平行になるように器具本体１の側部１ｂに取り付けられている。
【００２０】
また、図２に示すように、反射板１０は反射面１０ａを有し、蛍光ランプ１１からの出射光を反射して図中下向きに放出する。
【００２１】
また、図２に示すように、器具本体１においてＬＥＤ発光体８が取り付けられる側部１ａは、前述したように天井２００側にやや傾斜して形成されている。そのため、ＬＥＤ発光体８は、水平方向から天井２００方向にわたって光を出射する。この出射された光は、透過性カバー６を透過し、天井２００の表面等で乱反射する。同様に、ＬＥＤ発光体９は、水平方向から天井２００方向にわたって光を出射する。この出射された光は、透過性カバー７を透過し、天井２００の表面等で乱反射する。
【００２２】
また、蛍光ランプ点灯回路４とＬＥＤ点灯回路５はそれぞれ独立して配線されており、それぞれを独立して操作することが可能となっている。そのため、蛍光ランプ１１の点灯および消灯と、ＬＥＤ発光体８，９の点灯および消灯をそれぞれ独立して制御することができる。
【００２３】
また、図３に示すように、蛍光ランプ１１は蛍光ランプ点灯回路４に接続され、蛍光ランプ点灯回路４は壁に取り付けられた壁スイッチ２１を介して交流電源３０に接続されている。また、ＬＥＤ発光体８，９は、それぞれＬＥＤ点灯回路５に接続され、ＬＥＤ点灯回路５は壁スイッチ２２を介して交流電源３０に接続されている。
【００２４】
また、蛍光ランプ点灯回路４およびＬＥＤ点灯回路５はそれぞれ別々に配線施工されて、室内の壁に設けられた壁スイッチ２１，２２の操作によって、蛍光ランプ１１およびＬＥＤ発光体８，９をそれぞれ独立して点灯または消灯させることができる。
【００２５】
例えば、壁スイッチ２１が操作され、蛍光ランプ点灯回路４が交流電源３０に接続されると、蛍光ランプ点灯回路４に交流電力が供給される。そして、交流電力が供給された蛍光ランプ点灯回路４の駆動により蛍光ランプ１１が点灯する。一方、壁スイッチ２１が操作され、蛍光ランプ点灯回路４が交流電源３０から切断されると、蛍光ランプ点灯回路４への交流電力の供給が停止し、蛍光ランプ１１が消灯する。
【００２６】
また、例えば、壁スイッチ２２が操作され、ＬＥＤ点灯回路５が交流電源３０に接続されると、ＬＥＤ点灯回路５に交流電力が供給される。そして、交流電力が供給されたＬＥＤ点灯回路５の駆動によりＬＥＤ発光体８，９が点灯する。一方、壁スイッチ２２が操作され、ＬＥＤ点灯回路５が交流電源３０から切断されると、ＬＥＤ点灯回路５への交流電力の供給が停止し、ＬＥＤ発光体８，９が消灯する。
【００２７】
上述したように、壁スイッチ２１，２２はそれぞれ独立して操作することができるので、蛍光ランプ１１およびＬＥＤ発光体８，９をそれぞれ独立して点灯または消灯させることができる。
【００２８】
壁スイッチ２１，２２の操作により、ＬＥＤ発光体８，９のみを点灯させると、間接照明のみとなり、まぶしさを軽減させることができる。
【００２９】
図４に示すように、蛍光ランプ１１から出射された光のうち、その大部分は直接図中下方に照射され、その他の光は反射板１０の傾斜した反射面１０ａにおいて反射されて、図中下方に放射される。なお、図４に示した矢印は、蛍光ランプ１０から出射された散乱光の一部の経路を示している。
【００３０】
また、図５に示すように、ＬＥＤ発光体８，９から水平方向および水平面よりやや図中上向きに出射された光は、透過性カバー６，７をそれぞれ透過し、天井２００の表面等を照射する。そして、天井２００の表面等で乱反射し、この乱反射によって生じた散乱光が間接照明として室内を照射する。なお、図５に示した矢印は、それぞれのＬＥＤ発光体８，９から出射された光の経路の一部を示している。
【００３１】
例えば、オフィス等においては、プロジェクタを用いてプレゼンテーションを行うときに、壁スイッチ２１を操作して蛍光ランプ１１を消灯させ、壁スイッチ２２を操作してＬＥＤ発光体８，９を点灯させることにより、間接照明のみとすることができる。即ち、ＬＥＤ発光体８，９をダウンライトとして機能させることができる。
【００３２】
また、透過性カバー６，７のそれぞれの面に加工を施すことにより、ＬＥＤ発光体８，９から出射された光が透過性カバー６，７を透過する際に所望の照射パターンを実現することができる。
【００３３】
以上説明したように、本実施の形態では、壁スイッチ２１，２２を操作することにより、蛍光ランプ１１とＬＥＤ発光体８，９をそれぞれ独立して点灯または消灯させることができる。これにより、蛍光ランプ１１またはＬＥＤ発光体８，９のいずれか一方のみを点灯させたり、蛍光ランプ１１とＬＥＤ発光体８，９の双方を点灯させたりすることができる。
【００３４】
このように、ＬＥＤ発光体８，９のみを点灯させ、間接照明のみとすることができるので、１つの照明装置１００に通常の直接照明としての機能と間接照明としての機能を付与することができる。これにより、従来、補助光源として用いられていたダウンライトを照明装置１００のＬＥＤ発光体８，９として組み込むことで、従来別個に設置されていたダウンライトが不要になり、照明装置の製作・設置費用の低減を図ることができる。
【００３５】
なお、本発明は上記実施の形態に限定されず、種々の変形および応用が可能である。
【００３６】
例えば、上記実施の形態では、主光源として直管形の蛍光ランプ１１を用いるようにしたが、正方形状、長方形状、円形状等の各種形状の主光源を用いることができる。そして、それら各種形状の主光源に、主光源の形状に合わせて補助光源（例えば、ＬＥＤ発光体８，９）を適切に配置するようにしても、上記実施の形態の場合と同様の効果を得ることができる。
【００３７】
また、上記実施の形態では、補助光源としてＬＥＤ発光素子８１，９１を用いるようにしたが、その他の発光素子を用いるようにすることもできる。
【００３８】
また、上記実施の形態において、様々な発光色で発光する補助光源を用いることができる。また、様々な発光色で発光する複数の発光素子によって補助光源を構成し、各発光素子の点灯および消灯を個別に独立して制御することにより、補助光源が出射する光の色を変化させることもできる。
【符号の説明】
【００３９】
１  器具本体
２，３  蛍光ランプソケット
４  蛍光ランプ点灯回路
５  ＬＥＤ点灯回路
６，７  透過性カバー
８，９  ＬＥＤ発光体
１０  反射板
１１  蛍光ランプ
８１，９１  ＬＥＤ発光素子
１００  照明装置
２００  天井
【図１】
2010192228.tif 000003
【図２】
2010192228.tif 000004
【図３】
2010192228.tif 000005
【図４】
2010192228.tif 000006
【図５】
2010192228.tif 000007